(57)【特許請求の範囲】
【請求項１】
ペットの足の裏に、波長が２２０ナノメートル近辺から２６０ナノメートル近辺の殺菌線と呼ばれる紫外線が含まれるＵＶ−Ｃに区分される紫外線（ＵＶ−Ｃ）を前記ペットの下方から照射して、前記ペットの足の裏を殺菌するペット用足殺菌装置において、
紫外線（ＵＶ−Ｃ）を照射する紫外線ランプが内部に設置されたランプ室の上部に、前記ペットを収容することができる大きさに区画形成され、前記ペットの足の裏に殺菌治療を施す治療室が設けられ、
前記治療室と前記ランプ室とは、紫外線（ＵＶ−Ｃ）を透過させる材料から作られた板部材であって、殺菌治療中に前記ペットが足を載せる足載せ板部材をその一部として備える仕切り板により仕切られており、
前記治療室には、木、プラスチック、ガラス及び金属の中から選ばれるいずれか１つの材料から作られた、球状もしくは多面体状の複数のボールが、自由に動き得る状態で、少なくとも前記ペットの足の裏以外の足の一部分を隠す深さに収納されて、
前記ペットの足が前記治療室内で動いても、複数の前記ボールがこれに追従して動いて、自動的に前記ペットの足の裏以外の部分を囲んで覆い、足の裏以外の部分への紫外線（ＵＶ−Ｃ）の照射を遮断して、これが装置の外に漏洩するのを防止しながら、足の裏への紫外線（ＵＶ−Ｃ）の照射を受けて、そこの殺菌治療を続けることができるようにされている
ことを特徴とするペット用足殺菌装置。
【請求項２】
前記ペットの餌を入れた餌箱が、前記治療室に臨むようにして、設けられていることを特徴とする請求項１記載のペット用足殺菌装置。
【請求項３】
前記足載せ板部材の表面には、凹凸が設けられ、
前記ペットの足の裏の肉球が、前記凹凸によって広げられて、肉球の奥まで、前記足載せ板部材を透過した紫外線（ＵＶ−Ｃ）により殺菌されることができるようにされている
ことを特徴とする請求項１記載のペット用足殺菌装置。
【請求項４】
前記ランプ室には、前記装置の周りの屋内空気を吸入する吸気口と、排気口と、ファンとが、連通状に設けられ、
前記ランプ室の内壁面には、酸化チタン又は紫外線（ＵＶ）の範疇でも反応する光触媒が塗布されて、
前記ファンにより前記ランプ室内に吸入された空気が、前記紫外線ランプが照射する紫外線（ＵＶ−Ｃ）による殺菌作用と、紫外線（ＵＶ−Ｃ）の照射を受けて、前記酸化チタン又は紫外線（ＵＶ）の範疇でも反応する光触媒の塗布膜が生起する酸化作用による殺菌、消臭作用とにより、殺菌、消臭されて、前記排気口から排出されるようにされている
ことを特徴とする請求項１記載のペット用足殺菌装置。
【発明の詳細な説明】
【技術分野】
【０００１】
本願の発明は、ペット用足殺菌装置に関し、特に殺菌効果の高い、波長が２２０ナノメートル近辺から２６０ナノメートル近辺の殺菌線と呼ばれる紫外線が含まれるＵＶ−Ｃに区分される紫外線（以下、紫外線（ＵＶ−Ｃ）と記す。）をペットの足の裏に照射して、ペットの足の裏を殺菌すると同時に、装置の周りの屋内空気も殺菌、消臭するようにして、ペットの飼育環境の改善を図った、ペット用足殺菌装置に関する。
【背景技術】
【０００２】
最近は、犬などの小動物（以下、ペットという。）、特に犬を屋内で飼育する家庭が多くなっている。
通常、ペット自体が持っている保有菌は、人間にも余り影響はないと考えられるが、犬や猫が屋外から帰って来た時には、足の裏に菌を付けて家の中に持ち込んでしまう危険性がある。動物の足の裏は、皮脂でベタベタしているので、菌なども付着し易く、特に犬は、定期的に屋外を散歩させるために、犬の足の裏は、細菌などに汚染される可能性が高い。
【０００３】
よって、ペットが屋外から帰って来て、そのまま屋内に入れると、家の中の床などが細菌などで汚染されて、それが人間の手や口や鼻などを経て人体に伝染して、人間の健康を害することになる。また、ペット自身の健康上も良くない。
そこで、ペットが屋外から帰って来て、屋内に入る時などには、ペットの足の裏の殺菌が必要である。
【０００４】
しかし、ペットが屋外から帰って来て、屋内に入る時に、飼い主が、いつもペットの足の裏を洗ったり拭いたりするのは容易でない。かといって、人が手を施さないで、ペットの足の裏を清潔にする装置は、現在、見当たらない。昨今は、感染症が大きな社会問題になっており、動物による感染対策は、今後、ますます必要になってくるものと思われる。
【０００５】
動物の汚染された足をきれいにする方法の一つとして、動物を室内に入れる前に、動物の足を水などの液体で洗浄するという方法がある。
特開２００８−７９５６６号公報（特許文献１）には、動物（犬）の足が一本入る容器に洗浄液を入れ、洗浄液中に気泡を発生させる気泡発生手段を備えた動物足洗浄装置が記載されている。
しかしながら、この文献記載の動物足洗浄装置では、足の洗浄と乾燥に時間が掛かるし、一度に処理できるのは、足一本だけであるので、足四本全部をきれいにするには、更に手間と時間が掛かる上に、長時間犬を拘束しなければならないという問題がある。
【０００６】
水などの液体で洗浄する以外に、犬の足の裏に付着した細菌類を殺す又は不活性化する方法として、前記した紫外線（ＵＶ−Ｃ）を足の裏に照射して、菌やウイルスを殺すという方法がある。
この方法を使用した例として、特表２０１７−５１２１０６号公報（特許文献２）には、靴底に、その下側から紫外線（ＵＶ−Ｃ）を照射して、靴底に付いた細菌類を殺す又は不活性化する殺菌装置が記載されている。そして、この装置では、靴底に代えて、動物の足の裏への適用も可能であることが示唆されている。
【０００７】
しかしながら、この文献記載の装置は、紫外線（ＵＶ−Ｃ）を照射するターゲット（靴底）以外に紫外線（ＵＶ−Ｃ）が漏洩しないように、靴底の部分のみにその形状を合わせた複数の孔で形成された開口部を設けて、そこを通してのみ紫外線（ＵＶ−Ｃ）を照射することにより、靴底以外への紫外線（ＵＶ−Ｃ）の漏洩を防止する構造であるので、犬のような動物の足の裏を消毒する場合には、足の形が多種多様であることに加え、その開口部の上に足を拘束して置き続けさせるのは不可能といえる。
【０００８】
また、特表２０１６−５２２０４６号公報（特許文献３）には、紫外線（ＵＶ−Ｃ）を発生する装置の上に、紫外線（ＵＶ−Ｃ）を透過させる２つの層と、これら２つの層の間に、紫外線（ＵＶ−Ｃ）を吸収し透過させない液体の層とを備え、その上部の層に乗ると、上部の層が足の重みで変形し、中間の紫外線（ＵＶ−Ｃ）を吸収する液体を押しのけて、紫外線（ＵＶ−Ｃ）を透過させる上部の層と下部の層とが密着し、紫外線（ＵＶ−Ｃ）が透過して、足の裏に照射されるようにした消毒装置が記載されている。
この装置の場合、装置に押しつけられた物や足以外の部分からは、紫外線（ＵＶ−Ｃ）が漏洩しない構造となっている。
【０００９】
しかしながら、この装置の場合、前記紫外線（ＵＶ−Ｃ）を透過させる層には、変形可能なＵＶＣ透過フッ化フィルムが使用されており、紫外線（ＵＶ−Ｃ）を吸収し遮断する液体とともに、高価な材料といえる。さらに、この変形可能なＵＶＣ透過フッ化フィルムを、犬のような軽い荷重で変形させるためには、膜厚を薄くしなければならず、耐久性に問題を生じる。
【先行技術文献】
【特許文献】
【００１０】
【特許文献１】特開２００８−７９５６６号公報
【特許文献２】特表２０１７−５１２１０６号公報
【特許文献３】特表２０１６−５２２０４６号公報
【発明の概要】
【発明が解決しようとする課題】
【００１１】
本願の発明は、従来のペット用足殺菌装置が有する前記のような問題点を解決して、ペットを拘束することなく、ペットが装置内で動いても、ペットの足の裏の殺菌治療を安心して、継続して行うことができ、かつ、有害な紫外線（ＵＶ−Ｃ）が装置外に漏洩するのを防ぐことができ、同時に、装置の周りの屋内空気も殺菌、消臭することができて、これらにより、ペットの飼育環境を改善させた、構造が簡単で、安価な、ペット用足殺菌装置を提供することを課題とする。
【課題を解決するための手段】
【００１２】
前記のような課題は、本願の特許請求の範囲の各請求項に記載された次のような発明により解決される。
すなわち、その請求項１に記載された発明は、ペットの足の裏に、波長が２２０ナノメートル近辺から２６０ナノメートル近辺の殺菌線と呼ばれる紫外線が含まれるＵＶ−Ｃに区分される紫外線（ＵＶ−Ｃ）を前記ペットの下方から照射して、前記ペットの足の裏を殺菌するペット用足殺菌装置において、紫外線（ＵＶ−Ｃ）を照射する紫外線ランプが内部に設置されたランプ室の上部に、前記ペットを収容することができる大きさに区画形成され、前記ペットの足の裏に殺菌治療を施す治療室が設けられ、前記治療室と前記ランプ室とは、紫外線（ＵＶ−Ｃ）を透過させる材料から作られた板部材であって、殺菌治療中に前記ペットが足を載せる足載せ板部材をその一部として備える仕切り板により仕切られており、  前記治療室には、木、プラスチック、ガラス及び金属の中から選ばれるいずれか１つの材料から作られた、球状もしくは多面体状の複数のボールが、自由に動き得る状態で、少なくとも前記ペットの足の裏以外の足の一部分を隠す深さに収納されて、前記ペットの足が前記治療室内で動いても、複数の前記ボールがこれに追従して動いて、自動的に前記ペットの足の裏以外の部分を囲んで覆い、足の裏以外の部分への紫外線（ＵＶ−Ｃ）の照射を遮断して、これが装置の外に漏洩するのを防止しながら、足の裏への紫外線（ＵＶ−Ｃ）の照射を受けて、そこの殺菌治療を続けることができるようにされていることを特徴とするペット用足殺菌装置である。
【００１３】
また、その請求項２に記載された発明は、前記ペットの餌を入れた餌箱が、前記治療室に臨むようにして、設けられていることを特徴とする請求項１記載のペット用足殺菌装置である。
【００１４】
また、その請求項３に記載された発明は、前記足載せ板部材の表面には、凹凸が設けられ、前記ペットの足の裏の肉球が、前記凹凸によって広げられて、肉球の奥まで、前記足載せ板部材を透過した紫外線（ＵＶ−Ｃ）により殺菌されることができるようにされていることを特徴とする請求項１記載のペット用足殺菌装置である。
【００１５】
また、その請求項４に記載された発明は、前記ランプ室には、前記装置の周りの屋内空気を吸入する吸気口と、排気口と、ファンとが、連通状に設けられ、前記ランプ室の内壁面には、酸化チタン又は紫外線（ＵＶ）の範疇でも反応する光触媒が塗布されて、前記ファンにより前記ランプ室内に吸入された空気が、前記紫外線ランプが照射する紫外線（ＵＶ−Ｃ）による殺菌作用と、紫外線（ＵＶ−Ｃ）の照射を受けて、前記酸化チタン又は紫外線（ＵＶ）の範疇でも反応する光触媒の塗布膜が生起する酸化作用による殺菌、消臭作用とにより、殺菌、消臭されて、前記排気口から排出されるようにされていることを特徴とする請求項１記載のペット用足殺菌装置である。
【発明の効果】
【００１６】
本願の発明は、前記のように構成されているので、次のような効果を奏することができる。
本願の発明のペット用足殺菌装置においては、殺菌治療の対象となるペットを収容する治療室に、木、プラスチック、ガラス及び金属の中から選ばれるいずれか１つの材料から作られた複数のボールが、自由に動き得る状態で、少なくともペットの足の裏以外の足の一部分を隠す深さに収納されているので、散歩などで屋外を歩いたペットが屋外から帰って来て、屋内に入る時、ペットの足の裏に付着した細菌類を殺菌するために、ペットをペット用足殺菌装置の治療室に入れて、ペットの足の裏に、治療室の下方から、治療室とランプ室とを仕切る仕切り板が備える足載せ板部材を透過して来た紫外線（ＵＶ−Ｃ）を照射しようとしたとき、ペットの足が動いたとしても、ペットの体重により、複数のボールが、その動きに追従して治療室内を動いて、自動的にペットの足の裏以外の部分を囲んで覆い、ペットの足の裏以外の足の一部分を隠す深さに収納された当初の状態に戻るので、殺菌部位ではない、ペットの足の裏以外の部分への紫外線（ＵＶ−Ｃ）の照射を複数のボールで遮断して、これが装置の外に漏洩するのを防止しながら、殺菌部位である、足載せ板部材の上面に密接しているペットの足の裏への紫外線（ＵＶ−Ｃ）の照射を受けて、そこの殺菌治療を続けることができる。
これにより、殺菌治療中も、ペットを治療室内で固定もしくは拘束する必要がないので、ペットにストレスを与えることがなく、ペットの足の裏の殺菌治療を安心して、継続して行うことができる。また、紫外線（ＵＶ−Ｃ）が、装置の外に漏洩することがないので、人体の健康を害することもない。
【００１７】
また、このペット用足殺菌装置は、紫外線ランプがその内部に設置されたランプ室と、殺菌治療を施す治療室と、付属部品としての電装ボックス、ファンボックス、餌箱のみからなり、紫外線（ＵＶ−Ｃ）の遮蔽部材は、木、プラスチック、ガラス及び金属の中から選ばれるいずれか１つの材料から作られたボールであるので、装置全体を、簡単な構造で、安価に、製作することができる。紫外線（ＵＶ−Ｃ）の遮蔽部材が、木又はプラスチックの材料から作られたボールとされる場合には、装置全体を、特に安価に、軽量に、製作することができる。
【００１８】
また、ペットの餌を入れた餌箱は、治療室に臨むようにして設けられているので、殺菌に必要な時間の間、ペットに餌を食べさせながら、ペットを治療室内に留めて置くことができ、ペットにストレスを与えることが更になくなり、ペットの足の裏の殺菌治療を更に安心して続けて行うことができる。
【００１９】
また、足載せ板部材の表面には、凹凸が設けられているので、ペットの足の裏の肉球が、この凹凸によって広げられて、肉球の奥まで、足載せ板部材を透過した紫外線（ＵＶ−Ｃ）により照射されて殺菌されるようになり、ペットの足の裏の殺菌治療を余すところなく十分に行うことができる。
【００２０】
さらに、ランプ室には、装置の周りの屋内空気を吸入する吸気口と、排気口と、ファンとが、連通状に設けられ、ランプ室の内壁面には、酸化チタン又は紫外線（ＵＶ）の範疇でも反応する光触媒が塗布されているので、ファンによりランプ室内に吸入された空気は、紫外線ランプが照射する紫外線（ＵＶ−Ｃ）による殺菌作用と、紫外線（ＵＶ−Ｃ）の照射を受けて、酸化チタン又は紫外線（ＵＶ）の範疇でも反応する光触媒の塗布膜が生起する酸化作用による殺菌、消臭作用とにより、十分に殺菌され、消臭されて、排気口から排出されることになり、このような循環を繰り返しながら、屋内空気を清浄化することができる。
【００２１】
このようにして、ペットの足の裏の殺菌と、屋内空気の清浄化（殺菌、消臭）とを、同時に行なうことができて、ペットの飼育環境の改善に寄与することができる。
【図面の簡単な説明】
【００２２】
【図１】本願の発明の一実施例のペット用足殺菌装置の縦断面図であって、装置の治療室に犬が入った状態で示した図である。
【図２】同ペット用足殺菌装置の平面図であって、装置の治療室に犬が入った状態で示した図である。
【図３】同ペット用足殺菌装置を前方斜め上から見た斜視図である。
【図４】同ペット用足殺菌装置のランプ室を、天井板となる仕切り板を取り除いて、後方斜め上から見た斜視図である。
【図５】同ペット用足殺菌装置を前方斜め上から見た斜視図であって、電装ボックス、ファンボックス、ランプ室の一部を断面にして示した図である。
【発明を実施するための形態】
【００２３】
次に、本願の発明のペット用足殺菌装置の一実施例を、図面を参照して、詳細に説明する。
なお、以下においては、ペットを代表して、犬の場合で説明するが、同じ考え方は、他の小動物に対しても適用されるものである。
また、以下の説明において、前後左右の方向は、「図〇において、」と断りがない限り、正常な姿勢にある犬の顔が向く方向を前方として定めることとする。
（実施例）
【００２４】
本実施例のペット用足殺菌装置は、犬の足の裏に、波長が２２０ナノメートル近辺から２６０ナノメートル近辺の殺菌線と呼ばれる紫外線が含まれるＵＶ−Ｃに区分される紫外線（ＵＶ−Ｃ）を犬の下方から照射して、犬の足の裏を殺菌する装置である。
（全体構成）
【００２５】
その装置の構成は、あらまし、図１〜図３、図５に示されるように、紫外線（ＵＶ−Ｃ）を照射する紫外線ランプ１４がその内部に設置されたランプ室３と、その上部に設けられ、足の裏の殺菌治療の対象となる犬２を収容して殺菌治療を施す治療室１０と、ランプ室３の前側の上部の一側（図２において下側、図３において右側）であって、治療室１０の前方に立設された電装ボックス４と、ランプ室３の前側の上部の他側（図２において上側、図３において左側）であって、治療室１０の前方に立設されたファンボックス５と、治療室１０に臨むようにして設置された餌箱６とからなっている。
【００２６】
なお、詳述すれば、電装ボックス４とファンボックス５とは、それらの間に間隔が開けられ、治療室１０と前板７を介して境を接して、それぞれ設けられており、電装ボックス４の内部には制御基板１８（図５参照）が、また、ファンボックス５の内部にはファン１９（図５参照）が、それぞれ内蔵されている。
紫外線ランプ１４は、ランプ室３の内部の略中央部に設置されている。
餌箱６には、犬２の餌（不図示）が収納されている。
（仕切り板、足載せ板部材）
【００２７】
ランプ室３と治療室１０とは、仕切り板２０により仕切られている。この仕切り板２０は、図２に示されるように、平面視長方形状をなし、装置全体の平面積に及ぶ広さを有していて、ランプ室３の天井板と、治療室１０の床板とを兼ねている。
また、この仕切り板２０は、殺菌治療中に犬２が足を載せる足載せ板部材２０ａを、その一部を構成する板部材として備えている。
【００２８】
この足載せ板部材２０ａは、本実施例では、前足２本を載せる前部足載せ板部材２０ａと、後足２本を載せる後部足載せ板部材２０ａとの、２枚の足載せ板部材２０ａ、２０ａが用意されており、これらが、仕切り板２０の左右方向中央部であって、その前方部と後方部とに、それぞれ嵌め込まれて取り付けられており、これにより、１枚の仕切り板２０が完成されるようになっている。
もちろん、この足載せ板部材２０ａは、前足２本と後足２本とを同時に載せる広さを有する１枚の板部材として作られても良い。
【００２９】
この足載せ板部材２０ａは、殺菌治療中に、犬２が足を載せる板部材であり、紫外線（ＵＶ−Ｃ）を透過させる材料からなり、本実施例では、そのような材料として、石英ガラスが使用されている。なお、仕切り板２０のその余の部分は、金属板材から作られている。
紫外線ランプ１４から発せられた紫外線（ＵＶ−Ｃ）は、これら２枚の足載せ板部材２０ａ、２０ａをそれぞれ透過して、それらの足載せ板部材２０ａ、２０ａの各上面に密接したペット２の足の裏に照射される。
【００３０】
足載せ板部材（石英ガラス板）２０ａは、コストの面からと、有害な紫外線（ＵＶ−Ｃ）の放射量を必要最小限にするために、犬２の前足２本、後足２本が、それぞれ動き得る最大範囲を想定して、適切な広さにその大きさ（縦、横寸法）が設定される。
そして、犬２が、餌箱６に入れられた餌を食べようとして、前板７に設けられたＵ字形にカットされた部分から首を出した時、丁度、犬２の足が載る仕切り板２０上の位置に、２枚の足載せ板部材（石英ガラス板）２０ａ、２０ａがあるようにして、仕切り板２０にそれぞれ設置されている。
（前板、後板、２枚の側板）
【００３１】
前記した前板７は、その中央上半部が、犬２が首を入れられるように、Ｕ字形にカットされており、餌箱６は、そのカット部分の前方直下で、電装ボックス４とファンボックス５との間に開けられた間隔部分に、そのカット部分に支えられて設置されている。
前板７は、その下端が、仕切り板２０の上面に固定され、その前面が、電装ボックス４とファンボックス５との各背面に固定されて、取り付けられている。
【００３２】
また、ランプ室３の後端上部には、後板８が、仕切り板２０の上面に、横方向に長く立設されて設けられている。この後板８の高さは、前板７や、後述する側板９の高さよりもかなり低くされており、犬２が、この後板８を越えて、治療室１０に容易に出入りすることができるようになっている。
【００３３】
これら前板７と後板８との間には、略犬２の大きさ程の広さを有する長方形状の側板９が２枚、仕切り板２０上に、左右対向して設置されている。
これらの側板９、９の各々は、その前後端が、前板７と後板８とにそれぞれ固定されるが、犬２の体型（体の幅）に合わせて、両側板９、９の間の間隔が調整できるようになっている。
【００３４】
これら前板７、後板８、２枚の側板９、９は、いずれも、ポリカーボネートのような、透明で、外から犬２が視認できると同時に、紫外線（ＵＶ−Ｃ）は透過させない材質のものから作られている。
但し、後板８は、犬２がこれを越える時、打撃を受けることがあることを考慮して、損傷しにくい金属板材から作られても良い。
（治療室）
【００３５】
治療室１０は、これら前板７、後板８、２枚の側板９、９、仕切り板２０により四面及び床面を囲まれて、犬２を収容することができる大きさに、また、犬２の足の裏に殺菌治療を施すに十分なスペースを有するものとして、ランプ室３の上部に区画形成されている。なお、この治療室１０は、天井板を有していない。
（ボールの収納）
【００３６】
治療室１０には、図１に示されるように、木又はプラスチックの材料から作られて、軽量の、球状もしくは多面体状の複数のボール１３が、自由に動き得る状態で、少なくとも犬２の足の裏以外の足の一部分を隠す深さに充填されて、収納されている。
このため、犬２の足が治療室１０内で動いても、犬２の体重による慣性で、複数のボール１３は、犬２の動きに追従して治療室１０内を動いて、自動的に犬２の足の裏以外の部分を囲んで覆い、犬２の足の裏以外の足の一部分を隠す深さに収納された当初の状態に戻ることができる。
【００３７】
犬２の足が、治療室１０内で動く間、犬２の足は、常に、その前足の少なくとも１本が前方の足載せ板部材（石英ガラス板）２０ａの上に、また、その後足の少なくとも１本が後方の足載せ板部材（石英ガラス板）２０ａの上に、それぞれ載っていて、犬２の足の裏は、それら足載せ板部材（石英ガラス板）２０ａの上面に密接している。
したがって、犬２の足の裏は、足載せ板部材（石英ガラス板）２０ａを下方から透過して来る紫外線（ＵＶ−Ｃ）の照射を続けて受けることができ、殺菌治療を続けて受けることができる。
他方、犬２の足の裏以外の部分に向けて照射される紫外線（ＵＶ−Ｃ）は、そこを囲み覆う複数のボール１３により遮断、遮蔽されるので、これが装置１の外に漏れることはない。
（ランプ室）
【００３８】
ランプ室３は、図４に示されるように、扁平な直方体の箱状を呈していて、その６面の外壁（天井板は不図示）は、仕切り板２０に嵌着された足載せ板部材（石英ガラス板）２０ａ、２０ａの部分を除く仕切り板２０を含めて、金属板材から作られている。
このランプ室３には、紫外線ランプ１４が設けられるほかに、装置の周りの屋内空気１７をランプ室３の内部に取り入れるための吸気口１５と、排気口１２と、ファン１９とが、連通状に設けられている。排気口１２は、ファンボックス５の頂部近くの前面に設けられており（図３参照）、ファン１９は、前記のとおり、ファンボックス５に内蔵されている（図５参照）。
【００３９】
吸気口１５は、ガラリ１５として形成されており、このガラリ１５は、図４により良く示されるように、ランプ室３の後側の面に設けられている。
また、紫外線ランプ１４から発せられる紫外線（ＵＶ−Ｃ）が、ガラリ１５から外部に漏れないように、複数枚（本実施例の場合、３枚）の遮光板１６が、ガラリ１５の近くのランプ室３の内部に、１枚だけ前後、左右方向に位置を違えて配置されて、設けられている。
【００４０】
また、ランプ室３は、その内壁面の全面に、酸化チタンが塗料に含めて塗布されて、そこに、酸化チタンの塗布膜（酸化チタン膜）が形成されている。この酸化チタンは、光触媒の一種であり、その塗布膜は、紫外線ランプ１４から発せられる紫外線（ＵＶ−Ｃ）の照射を受けて、強い酸化作用を発揮し、これに触れる屋内空気１７を殺菌、消臭する。
【００４１】
そこで、今、ファン１９が回転すると、屋内空気１７が、ガラリ１５を通ってランプ室３内に吸入され、複数枚の遮光板１６の間を蛇行しながら、ランプ室３の内部を流れる（図４参照）。
この間、空気１７は、紫外線ランプ１４から発せられる紫外線（ＵＶ−Ｃ）が本来有する殺菌作用により殺菌される。同時に、ランプ室３の内壁面に形成された酸化チタン膜が、紫外線（ＵＶ−Ｃ）の照射を受けて強い酸化作用を生起するので、この酸化チタン膜の酸化作用によっても殺菌、消臭されて、排気口１２から排出される。屋内空気１７は、このような循環が繰り返されて、清浄化される。
（作用）
【００４２】
そこで、今、散歩などで屋外を歩いた犬２が屋外から帰って来て、屋内に入る時、犬２の足の裏に付着した細菌類を殺菌するために、犬２を、ペット用足殺菌装置１の治療室１０の中に入れると、犬２は、治療室１０内に収納された複数のボール１３を足を使って押しのけて、その足の裏を、仕切り板２０（治療室１０の床板）の前後２個所にある足載せ板部材（石英ガラス板）２０ａ、２０ａの上に載せ、そこに密接させる。
次いで、電装ボックス４に設けられた電源スイッチ１１（図２、図３参照）を押して、紫外線ランプ１４を点灯すると、紫外線ランプ１４から紫外線（ＵＶ−Ｃ）が発せられる。この紫外線（ＵＶ−Ｃ）は、足載せ板部材（石英ガラス板）２０ａ、２０ａを透過して、犬２の足の裏に照射され、そこを殺菌する。
【００４３】
この時、犬２の足によって押しのけられた複数のボール１３は、自動的に犬２の足の裏以外の部分を囲み覆うような位置に移動して、犬２の足の裏以外の足の一部分を隠す深さに収納された当初の状態に戻っているので、犬２の足の裏以外の部分に向けて照射される紫外線（ＵＶ−Ｃ）は、そこを囲み覆う複数のボール１３により遮断、遮蔽される。
【００４４】
以上のような犬２の足の裏の殺菌治療は、犬２に、餌箱６に入れられた餌を食べさせながら行われる。また、犬２の足が、治療の途中で動いたとしても、同じようにして繰り返されて行われる。
【００４５】
同時に、ランプ室３の内部においては、そこを流れる屋内空気１７は、前記のとおり、紫外線ランプ１４から発せられる紫外線（ＵＶ−Ｃ）が本来有する殺菌作用により殺菌されるとともに、紫外線（ＵＶ−Ｃ）の照射を受けて、ランプ室３の内壁面に形成された酸化チタン膜が生起する強い酸化作用によっても殺菌、消臭されて、排気口１２から排出される。屋内空気１７は、このような循環が繰り返されて、清浄化される。
【００４６】
（実施例の効果）
本実施例のペット用足殺菌装置１は、前記のように構成されているので、次のような効果を奏することができる。
本実施例のペット用足殺菌装置１においては、殺菌治療の対象となる犬２を収容する治療室１０に、木又はプラスチックの材料から作られた複数のボール１３が、自由に動き得る状態で、少なくとも犬２の足の裏以外の足の一部分を隠す深さに収納されているので、散歩などで屋外を歩いた犬２が屋外から帰って来て、屋内に入る時、犬２の足の裏に付着した細菌類を殺菌するために、犬２を装置１の治療室１０に入れて、犬２の足の裏に、治療室１０の下方から、治療室１０とランプ室３とを仕切る仕切り板２０が備える足載せ板部材（石英ガラス板）２０ａ、２０ａを透過して来た紫外線（ＵＶ−Ｃ）を照射しようとしたとき、犬２の足が動いたとしても、犬２の体重により、複数のボール１３が、その動きに追従して治療室１０内を動いて、自動的に犬２の足の裏以外の部分を囲んで覆い、犬２の足の裏以外の足の一部分を隠す深さに収納された当初の状態に戻るので、殺菌部位ではない、犬２の足の裏以外の部分に向けての紫外線（ＵＶ−Ｃ）の照射を、複数のボール１３により遮断して、これが装置１の外に漏洩するのを防止しながら、殺菌部位である、足載せ板部材（石英ガラス板）２０ａ、２０ａの上面に密接している犬２の足の裏への紫外線（ＵＶ−Ｃ）の照射を受けて、そこの殺菌治療を続行することができる。
これにより、殺菌治療中も、犬２を治療室１０内で固定もしくは拘束する必要がないので、犬２にストレスを与えることがなく、犬２の足の裏の殺菌治療を安心して、継続して行うことができる。また、紫外線（ＵＶ−Ｃ）が、装置１の外に漏洩することがないので、人体の健康を害することもない。
【００４７】
また、このペット用足殺菌装置１は、紫外線ランプ１４がその内部に設置されたランプ室３と、殺菌治療を施す治療室１０と、付属部品としての電装ボックス４、ファンボックス５、餌箱６のみからなり、紫外線（ＵＶ−Ｃ）の遮蔽部材は、木又はプラスチックの材料から作られたボール１３であるので、装置全体を、簡単な構造で、安価に、軽量に、製作することができる。
【００４８】
また、殺菌治療を行うためには、一定時間以上紫外線（ＵＶ−Ｃ）を照射する必要があるが、犬２の餌を入れた餌箱６が、治療室１０に臨むようにして設けられているので、必要な時間の間、犬２に餌を食べさせながら、犬２を治療室１０内に留めて置くことができ、犬２にストレスを与えることが更になくなり、犬２の足の裏の殺菌治療を更に安心して、続けて行うことができる。
【００４９】
また、足載せ板部材（石英ガラス板）２０ａ、２０ａの表面には、凹凸が設けられているので、犬２の足の裏の肉球が、この凹凸によって広げられて、肉球の奥まで、足載せ板部材（石英ガラス板）２０ａ、２０ａを透過した紫外線（ＵＶ−Ｃ）により照射されて殺菌されるようになり、犬２の足の裏の殺菌治療を余すところなく十分に行うことができる。
【００５０】
また、治療室１０を区画形成する板部材であって、仕切り板２０上に、前板７と後板８との間に亘って、左右対向して設置される２枚の側板９、９は、それらの前後端が、前板７と後板８とにそれぞれ固定されながら、犬２の体型（体の幅）に合わせて、それらの間の間隔が調整できるようになっているので、ペット用足殺菌装置１の汎用性を高めることができる。
【００５１】
さらに、ランプ室３には、ペット用足殺菌装置１の周りの屋内空気１７を吸入する吸気口（ガラリ）１５と、排気口１２と、ファン１９とが、連通状に設けられ、ランプ室３の内壁面には、酸化チタンが塗布されているので、ファン１９によりランプ室３内に吸入された空気１７は、紫外線ランプ１４が照射する紫外線（ＵＶ−Ｃ）による殺菌作用と、紫外線（ＵＶ−Ｃ）の照射を受けて、酸化チタン膜が生起する酸化作用による殺菌、消臭作用とにより、十分に殺菌され、消臭されて、排気口１２から排出されることになり、このような循環を繰り返しながら、屋内空気１７を清浄化することができる。
【００５２】
以上のようにして、犬２の足の裏の殺菌と、屋内空気１７の清浄化（殺菌、消臭）とを、同時に行なうことができて、犬２の飼育環境の改善に寄与することができる。
【００５３】
（変形例）
本願の発明のペット用足殺菌装置は、以上の実施例に限定されず、その要旨を逸脱しない範囲において、種々の変形が可能である。
例えば、治療室１０に収納される複数のボール１３は、木又はプラスチックの材料から作られたものとされたが、これに代えて、ガラス又は金属の材料から作られたものとすることも可能である。
【００５４】
また、ランプ室３の内壁面には、酸化チタンが塗布されたが、これに代えて、紫外線（ＵＶ）の範疇でも反応する特性を備えた光触媒が塗布されても良い。このようにして形成される光触媒膜も、紫外線ランプ１４から発せられる紫外線（ＵＶ−Ｃ）の照射を受けて、強い酸化作用を発揮し、これに触れる屋内空気１７を殺菌、消臭する。
なお、ここで、紫外線（ＵＶ）とは、紫外線（ＵＶ−Ａ）（波長３１５〜３８０ｎｍ）、紫外線（ＵＶ−Ｂ）（波長２８０〜３１５ｎｍ）、紫外線（ＵＶ−Ｃ）（波長２００〜２８０ｎｍ）を含む紫外線の総称である。
【００５５】
このような特性を備えた光触媒は、その１例が、「可視光応答型複合薄膜光触媒」と呼ばれて、２０２０年５月２５日付け日刊工業新聞の「大分県産業科学技術センター」の特集欄（第１８欄）に、そこで行われている研究開発の複数事例が紹介された中の一事例として、紹介されている。
「可視光応答型複合薄膜光触媒材料に関する研究（金属担当）」と題する、その紹介記事によれば、「複合薄膜光触媒材料を作製するこの技術は、従来から用いられている酸化チタンと比較して、ＵＶ照射下で３倍以上の効果を発揮し、可視光照射下でも効果を示す。」とされている。
【符号の説明】
【００５６】
１…ペット用足殺菌装置、２…ペット、３…ランプ室、４…電装ボックス、５…ファンボックス、６…餌箱、７…前板、８…後板、９…側板、１０…治療室、１１…電源スイッチ、１２…排気口、１３…ボール、１４…紫外線ランプ、１５…吸気口（ガラリ）、１６…遮光板、１７…空気、１８…制御基板、１９…ファン、２０…仕切り板（ランプ室の天井板、治療室の床板）、２０ａ…足載せ板部材（石英ガラス板）。
【要約】 
【課題】  ペットを拘束することなく、ペットの足の裏の殺菌治療が行えて、有害な紫外線（ＵＶ−Ｃ）が装置外に漏れるのを防ぐことができ、同時に、装置の周りの屋内空気も殺菌、消臭することができる、構造が簡単で、安価な、ペット用足殺菌装置を提供する。
【解決手段】  ペット２の足の裏に紫外線（ＵＶ−Ｃ）を照射して殺菌する装置１において、紫外線ランプ室３の上部に治療室１０を設け、両室を、紫外線（ＵＶ−Ｃ）が透過する材料からなる足載せ板部材２０ａを一部に備える仕切り板２０により仕切る。治療室１０には、プラスチック材料などからなる複数のボール１３を、自由に動き得る状態で、ペット２の足の裏以外の足の部分を隠す深さに収納する。ペット２の足が動いても、殺菌治療を続けて行うことができ、足の裏以外の部分に照射される紫外線（ＵＶ−Ｃ）は、遮断されて、装置１の外に漏れることがない。ランプ室３内には、屋内空気が循環して流れる。
【選択図】  図１【図１】
0006788761.tif 000002
【図２】
0006788761.tif 000003
【図３】
0006788761.tif 000004
【図４】
0006788761.tif 000005
【図５】
0006788761.tif 000006